(57)【要約】【課題】  屋根の施工を可及的容易になし得るとともに断熱材の突合せ部を高気密に密封することによって屋根の断熱性を高度に確保する。【解決手段】  断熱屋根の施工を容易化するように野地板１下面に通気孔８を備えた発泡樹脂製ブロック状の断熱材２を複数配置して屋根下地パネルＡとするとともにこの各断熱材２の長手方向両側の対向端面に該端面から僅少突出するリブ１１を上記通気孔８を囲繞するように配置し，該屋根下地パネルＡを，小屋組み２０の垂木２３間にそれぞれ断熱材２を嵌合し通気孔８を連通させるように軒先側から棟側に上位の屋根下地パネルＡを下位の屋根下地パネルＡ側に押付けて垂木２３に載置固定して，隣接する断熱材２のリブ１１同士を突合せ圧縮することにより高気密に密封し，小屋組み２０とその下位の室内側を断熱材２で遮断する。【選択図】        図５
2005350995.tif 000002
【特許請求の範囲】
【請求項１】
発泡樹脂製の断熱材を野地板下面に配置したパネルであって，上記断熱材がその少なくとも一方の対向端面に隣接相互密封用の突合せ圧縮手段を備えてなることを特徴とする屋根下地パネル。
【請求項２】
上記断熱材を，小屋組みの隣接垂木間にそれぞれ嵌合するように配置した該垂木に平行にして下向きブロック状の複数配置のものとし且つ該ブロック状の断熱材がそれぞれ垂木に平行な単一又は複数の通気孔を貫通して具備し，上記突合せ圧縮手段を該通気孔の垂木間室内側に囲繞状に配置してなることを特徴とする請求項１に記載の屋根下地パネル。
【請求項３】
上記突合せ圧縮手段を，上記断熱材端面をその幅方向両端を一連に結ぶように配置した野地板端縁から僅少に突出した幅方向横断のリブによって形成してなることを特徴とする請求項１又は２に記載の屋根下地パネル。
【請求項４】
請求項１又は２に記載の屋根下地パネルを用い，該屋根下地パネルを小屋組みに対してその軒先から棟に向けてその突合せ圧縮手段を加圧状態として固定することによって少なくとも屋根傾斜方向に隣接する屋根下地パネル間を突合せ圧縮手段の弾発圧縮性によって相互に密封してなることを特徴とする建物の屋根断熱構造。
【発明の詳細な説明】
【技術分野】
【０００１】
本発明は，例えば住宅等建物の屋根を高気密に断熱し得るようにした屋根下地パネル及びこれを用いた建物の屋根断熱構造に関する。
【背景技術】
【０００２】
この種建物の屋根を断熱するには，例えば垂木上に構造用合板による野地板を張り，その上に断熱材を載置固定するか，逆に垂木に断熱材下地を介して断熱材を載置固定し，断熱材上面に通気穴を透設した野垂木を配置することによって軒先から棟に至る通気孔を形成し，その上に野地板を張るようにするものとされ，このとき断熱材にはその突合せ部分に形成される隙間によって断熱性が損われるのを防止するために，例えば突合せ面に合决り加工を施すことによって該隙間を構造的に封止し，また突合せ部分を覆うように幅広のテープを貼着することによって該隙間を断熱材上面で封止するものとされている。
【０００３】
【非特許文献１】株式会社エクスナレッジ  ２００３年１月１日発行                      建築知識第４５巻第１号  １６２頁〜１６８頁                    「発泡系断熱材による木造外張り設計と現場」
【発明の開示】
【発明が解決しようとする課題】
【０００４】
この場合屋根は相当程度の断熱性を備えるものとなし得るものとなるが，突合せ面に合决り加工を施すものは，合决り部になお隙間が生じるのを避け難いし，幅広のテープを貼着するものも，テープ自体が断熱性能を発揮し得るものではないから，結局断熱材の突合せ部が存在することによって該突合せ部が断熱欠損の原因となり，従って断熱材を使用しても屋根を有効に断熱することができないという問題点が残されている。
【０００５】
本発明はかかる事情に鑑みてなされたもので，その解決課題とするところは，屋根の施工を可及的容易になし得るとともに断熱材の突合せ部を高気密に密封することによって高度な断熱性を確実に確保し得るようにした屋根下地パネルを提供するにあり，また該屋根下地パネルを用いることによって高度な断熱性を確保した建物の屋根断熱構造を提供するにある。
【課題を解決するための手段】
【０００６】
上記課題に添って本発明は，断熱屋根の施工を容易化するように野地板下面に発泡樹脂製の断熱材を配置して屋根下地パネルを構成するとともにこの断熱材にその一方の対向端面又は双方の対向端面に隣接する屋根下地パネルの断熱材との間で突合せ部を密封する突合せ圧縮手段を配置し，屋根下地パネルの施工時に該突合せ圧縮手段を突合せ加圧して圧縮することによって隣接相互の断熱材同士の突合せ部分を高気密に密封して高度な断熱性を確保し得るようにしたものであって，即ち請求項１に記載の発明を，発泡樹脂製の断熱材を野地板下面に配置したパネルであって，上記断熱材がその少なくとも一方の対向端面に隣接相互密封用の突合せ圧縮手段を備えてなることを特徴とする屋根下地パネルとしたものである。
【０００７】
請求項２に記載の発明は，上記に加えて，断熱材を隣接する垂木間に嵌合配置するとともに断熱材に通気孔を設置し，上記突合せ圧縮手段を該通気孔の室内側にこれを囲繞するように配置することによって，更に高度な断熱性と屋根の通気性の双方を両立し得るものとするように，これを，上記断熱材を，小屋組みの隣接垂木間にそれぞれ嵌合するように配置した該垂木に平行にして下向きブロック状の複数配置のものとし且つ該ブロック状の断熱材がそれぞれ垂木に平行な単一又は複数の通気孔を貫通して具備し，上記突合せ圧縮手段を該通気孔の垂木間室内側に囲繞状に配置してなることを特徴とする請求項１に記載の屋根下地パネルとしたものである。
【０００８】
請求項３に記載の発明は，同じく上記に加えて，上記突合せ圧縮手段の加圧とこれによる圧縮を現場において可及的容易になし得るとともに高気密の密封を確実に確保し得るものとするように，これを，上記突合せ圧縮手段を，上記断熱材端面をその幅方向両端を一連に結ぶように配置した野地板端縁から僅少に突出した幅方向横断のリブによって形成してなることを特徴とする請求項１又は２に記載の屋根下地パネルとしたものである。
【０００９】
請求項４に記載の発明は，これら屋根下地パネルを用いて，高度な断熱性を確保した建物の屋根断熱構造を提供し得るように，これを，請求項１又は２に記載の屋根下地パネルを用い，該屋根下地パネルを小屋組みに対してその軒先から棟に向けてその突合せ圧縮手段を加圧状態として固定することによって少なくとも屋根傾斜方向に隣接する屋根下地パネル間を突合せ圧縮手段の弾発圧縮性によって相互に密封してなることを特徴とする建物の屋根断熱構造としたものである。
【発明の効果】
【００１０】
本発明は以上のとおりに構成したから，請求項１に記載の発明は，屋根の施工を可及的容易になし得るとともに断熱材の突合せ部を高気密に密封することによって高度な断熱性を確実に確保し得るようにした屋根下地パネルを提供することができる。
【００１１】
請求項２に記載の発明は，上記に加えて，断熱材を隣接する垂木間に嵌合配置するとともに断熱材に通気孔を設置し，上記突合せ圧縮手段を該通気孔の室内側にこれを囲繞するように配置することによって，更に高度な断熱性と屋根の通気性の双方を両立したものとすることができる。
【００１２】
請求項３に記載の発明は，同じく上記に加えて，上記突合せ圧縮手段の加圧とこれによる圧縮を現場において可及的容易になし得るとともに高気密の密封を確実に確保したものとすることができる。
【００１３】
請求項４に記載の発明は，これら屋根下地パネルを用いることによって高度な断熱性を確保した建物の屋根断熱構造を提供することができる。
【発明を実施するための最良の形態】
【００１４】
以下図面の例に従って本発明を更に具体的に説明すれば，Ａは，発泡樹脂製の断熱材２を野地板１下面に配置した屋根下地パネルであり，該屋根下地パネルＡは，上記断熱材２を，小屋組み２０の隣接垂木２３間にそれぞれ嵌合するように配置した該垂木２３に平行にして下向きブロック状の複数配置のものとし且つ該ブロック状の断熱材２がそれぞれ垂木２３に平行な単一又は複数，本例にあっては複数の通気孔８を貫通して具備したものとしてある。
【００１５】
即ち本例にあって野地板１は，例えば長辺を１．８ｍ程度，短辺を０．９ｍ程度とした，いわゆるサブロク版の大きさにして，厚さを１ｃｍ程度とした構造用合板を用い，その裏面に複数枚の断熱材２，例えば長辺を，上記野地板１の短辺に合せた幅の０．９ｍ程度とし，短辺を，垂木２３の配置ピッチ  に合せた幅の０．４５ｍ程度とした，４枚のブロック状の断熱材２を，野地板１の長辺に交差し，その短辺に平行に配置して，断熱材２間に垂木２３の幅に応じた垂木溝１０を形成するように並列配置してあり，本例の断熱材２は，例えば基部３と，該基部３の両側２条の上向き突条６を突設し，基部３の上面にして該２条の上向き突条６間に幅広溝を形成するとともに該幅広溝の長手方向中間に上向き突条６と同等高さに支持突起７  を配置することによって，該支持突起７以外部分を長手方向に同一断面形状をなすように，ポリスチレン，ウレタン，フェノール等適宜の合成樹脂，例えば発泡性ビーズを，例えば３０倍程度の発泡倍率で発泡成形して，特に独立気泡の発泡合成樹脂製としてあり，上記上向き突条６の上端面を野地板１下面に対して，その両端に垂木２３の１／２幅の片側開放溝９，断熱材２間にそれぞれ垂木２３の幅に合せた垂木溝１０を配置するように，例えば接着等の固定手段によって固定してその配置を行なってあり，該断熱材２の野地板１下面に対する接着配置によって上記幅広溝が野地板１によって閉塞されることによって複数，本例にあっては幅広２条の通気孔８を，屋根下地パネルＡの長辺間を貫通するように形成したものとしてある。
【００１６】
本例の該断熱材２は，更に上記基部３の両側に下方に向けてスリット４を形成することによって，その両側に該基部３と分離した弾発条５を形成し，上記隣接垂木２３間に断熱材２を嵌合した際に，該弾発条５が幅方向両側の垂木２３垂直面に対して弾発的に密着して，断熱材２が垂木２３間に密嵌する結果，垂木２３間をこれら断熱材２によって高気密に密封し得るものとしてある。
【００１７】
屋根下地パネルＡの上記断熱材２は，これがその少なくとも一方の対向端面，本例にあっては野地板１の長辺，断熱材２の短辺の対向端面に隣接相互密封用の突合せ圧縮手段を備えたものとしてあり，上記通気孔８を備えた本例の屋根下地パネルＡにおける突合せ圧縮手段は，これを該通気孔８の垂木２３間室内側に囲繞状に配置してあり，これによって小屋組み２０とその下位の室内とを通気孔８の室内側において遮断し得るようにしてある。
【００１８】
本例の突合せ圧縮手段は，これを，上記断熱材２端面をその幅方向両端を一連に結ぶように配置した野地板１端縁から僅少に突出した幅方向横断のリブ１１によって形成したものとしてある。
【００１９】
即ち本例の突合せ圧縮手段は，上記発泡成形した断熱材２の長手方向片側又は両側，本例にあっては両側の端面に，上記基部３，本例にあってはその幅方向両側に分離した弾発条５にその端面から断熱材２長手方向に，例えば１〜３ｍｍ程度の僅少幅で側面リブ１１ａを突出させ，また断熱材２の基部３端面，特にその下部に，該基部３端面から同じく１〜３ｍｍ程度の僅少幅で断熱材２長手方向に向けて同じく底面リブ１１ｂを突出し，これら側面リブ１１ａと底面リブ１１ｂとを一連に連続させることによって，上記通気孔８を囲繞状として幅方向に横断する隣接相互密封用のリブ１１としてある。本例の該リブ１１は，断熱材２の発泡成形時にこれと一体成形することによって形成してあり，その幅を，例えば数ｍｍ〜数ｃｍ程度の同一幅乃至可変幅のものとすることによって，後述の突合せ圧縮に際してこれらが相互に同一位置で同一形状をなして対面し，リブ１１同士が相互の面接触状態で圧着し得るようにしてあり，また上記断熱材２の幅を上記野地板１の短辺に合せた幅，特に短辺と一致した幅とすることによって，該リブ１１は，これが野地板１の対向端面，特に長辺側の端面から上記突出幅に応じて面外方向に突出するものとしてある。
【００２０】
このように形成した本例の屋根下地パネルＡは，これを小屋組み２０に対してその軒先から棟に向けてその突合せ圧縮手段，本例にあっては上記断熱材２を幅方向に横断するリブ１１を加圧状態として固定することによって少なくとも屋根傾斜方向に隣接する屋根下地パネルＡ間を突合せ圧縮手段の弾発圧縮性によって相互に密封して，建物の屋根断熱を行なうように使用するものとしてある。
【００２１】
即ち図８に示すように，本例の屋根下地パネルＡは，その両端の垂木２３の１／２幅の片側開放溝９を垂木２３に載置し，垂木溝１０に垂木２３を受け入れ，これら垂木２３に対して野地板１上面から釘打ちすることによって，例えば先ず庇部分を除く軒先側に，各垂木２３間にブロック状の断熱材２を嵌合し，断熱材２の通気孔８が屋根傾斜方向に向いた状態とするように，軒先に添って下位側の複数枚を横向きに載置固定し，次いで該先行して載置固定した屋根下地パネルＡに対して千鳥状の配置をなすように，棟側上位の屋根下地パネルＡを，その長辺が先行して載置固定した屋根下地パネルＡの長辺に対して屋根傾斜面に添って端部押付け状に押圧するように傾斜方向下方に向けて加圧し，その上下位に位置する屋根下地パネルＡの各断熱材２端面の突合せ圧縮手段，本例にあっては双方の断熱材２端面に，その通気孔８の室内側に配置したリブ１１同士を，該加圧による下向きの加圧力によって相互に圧着するように弾発的に圧縮して，屋根下地パネルＡの断熱材２間を高気密に密封し，通気性を有するようにした屋根の該通気性を損うことなく，小屋組み２０の下位で室内外を遮断して高度な断熱性を確保するに至る。なお屋根下地パネルＡは庇部分に配置してこれに載置固定することもできるが，本例のように庇部分を除く軒先側から小屋組み２０に載置固定するようにした場合，該庇部分には最後に屋根下地パネルＡを載置固定することによって小屋組み２０の全てに屋根下地パネルＡを配置すればよい。このとき屋根下地パネルＡの長辺が小屋組み２０の幅を超えるときは，切断端部に上記片側開放溝９を形成するように垂木溝１０の中央位置で切断して残余寸法に合せた後に同様な載置固定を行なうようにすればよい。
【００２２】
上記のとおり断熱材２の短辺は，これを上記垂木２３の配置ピッチに合せた幅寸法としたことによって，屋根下地パネルＡを，その片側開放溝９を垂木２３に引掛状に載置するとともに各垂木溝１０にそれぞれ垂木２３を受け入れるように小屋組み２０に配置すれば，上記千鳥状に載置固定した屋根下地パネルＡの断熱材２は，それぞれその上下位において各断熱材２の通気孔８並びに両端面に配置した突合せ手段のリブ１１の位置が隣接相互で一致し，通気孔８が屋根傾斜面の軒先側から棟側に向けて連通して屋根換気をなし得るとともに該通気孔８をその室内側で覆うように配置した突合せ手段のリブ１１同士が面接触状態で相互に弾発的に圧縮されてその高気密な密封を行なうに至る。
【００２３】
図中２１は小屋組み２０の梁，２１は同じく棟木である。
【００２４】
図示した例は以上のとおりとしたが，上記ブロック状の断熱材に代えて，野地板と同等の大きさにして上記片側開放溝及び垂木溝の部分で上記ブロック状の断熱材を上端で連結し野地板と垂木間に介設する帯状の連結部によって複数のブロック状の断熱材を一体又は一体的に形成したものを用いるようにすること，同じく野地板と同等の大きさにして厚肉平坦の断熱材を用いるようにし，この場合断熱材を垂木上面に載置固定するように小屋組みに屋根下地パネルを配置すること，該断熱材を垂木上に載置する場合，上記突合せ圧縮手段を断熱材の双方の対向端面にも配置するようにすること，断熱材が通気孔を具備したものとするとき，上記上向き突条を３条以上としてこれらに囲まれる複数の通気孔を設定すること等を含めて，本発明の実施に当って，屋根下地パネル，その野地板，断熱材，突合せ圧縮手段，必要に応じて用いるブロック状の断熱材，通気孔，小屋組みの垂木，幅方向横断のリブ等の各具体的形状，構造，材質，寸法，数，その製法，これらの関係，これらに対する付加等は，上記発明の要旨に反しない限り様々な形態のものとすることができる。
【図面の簡単な説明】
【００２５】
【図１】屋根下地パネルの平面図である。
【図２】屋根下地パネルの端面図である。
【図３】断熱材の平面図である。
【図４】断熱材の端面図である。
【図５】断熱材の部分斜視図である。
【図６】断熱材の部分拡大端面図である。
【図７】屋根下地パネルの突合せ状態を示す縦断面図である。
【図８】屋根下地パネルの小屋組みへの配置状態を示す斜視図である。
【符号の説明】
【００２６】
Ａ  屋根下地パネル
１  野地板
２  断熱材
８  通気孔
１１  リブ
１１ａ  側面リブ
１１ｂ  底面リブ
２０  小屋組み
２３  垂木
【図１】
2005350995.tif 000003
【図２】
2005350995.tif 000004
【図３】
2005350995.tif 000005
【図４】
2005350995.tif 000006
【図５】
2005350995.tif 000007
【図６】
2005350995.tif 000008
【図７】
2005350995.tif 000009
【図８】
2005350995.tif 000010